【手続補正書】
【提出日】平成16年6月1日(2004.6.1)
【手続補正１】
【補正対象書類名】明細書
【補正対象項目名】特許請求の範囲
【補正方法】変更
【補正の内容】
【特許請求の範囲】
【請求項１】
被記録材が給送される副走査方向に複数のドット形成要素が配列されたドット形成素子列を有する記録ヘッド部と、該記録ヘッド部近傍に被記録材の有無を認識可能な用紙検出器を備え、主走査方向に往復移動することにより、該記録ヘッド部及び該用紙検出器が被記録材の外側に位置する第１待機位置及び第２待機位置まで移動可能なキャリッジと、前記キャリッジの主走査を行う主走査駆動部と、前記ドット形成要素を駆動するヘッド駆動部と、被記録材の副走査を行う副走査駆動部と、これらの駆動を制御する駆動制御部とを備えた記録装置であって、
前記用紙検出器は、前記ドット形成素子列内の上流側の領域に配設され、
前記用紙検出器は、前記第１待機位置に位置する際において、該記録ヘッド部の位置より被記録材側に配設されるように構成されていることを特徴とする、記録装置。
【請求項２】
被記録材が給送される副走査方向に複数のドット形成要素が配列されたドット形成素子列を有する記録ヘッド部と、該記録ヘッド部近傍に被記録材の有無を認識可能な用紙検出器を備え、主走査方向に往復移動することにより、該記録ヘッド部及び該用紙検出器が用紙外側に位置する第１待機位置及び第２待機位置まで移動可能なキャリッジと、前記キャリッジの主走査を行う主走査駆動部と、前記ドット形成要素を駆動するヘッド駆動部と、被記録材の副走査を行う副走査駆動部と、これらの駆動を制御する駆動制御部とを備えた記録装置であって、
前記用紙検出器は、前記ドット形成素子列より上流側の領域に配設され、
前記用紙検出器は、前記第１待機位置に位置する際において、該記録ヘッド部の位置より被記録材側に配設されるように構成されていることを特徴とする、記録装置。
【請求項３】
請求項１において、前記用紙検出器は、副走査方向に配列された発光部と受光部を有し、該発光部から被記録材に向けて発光し、その反射を該受光部で受けることにより、該発光部と該受光部との中間位置での被記録材の有無を認識する機構であることを特徴とする、記録装置。
【請求項４】
請求項２において、前記用紙検出器は、副走査方向に配列された発光部と受光部を有し、該発光部から被記録材に向けて発光し、その反射を該受光部で受けることにより、該発光部と該受光部との中間位置での被記録材の有無を認識する機構であることを特徴とする、記録装置。
【請求項５】
請求項１から請求項４のいずれか一項において、前記駆動制御部は、縁無し印刷を行う際に、前記キャリッジを前記主走査駆動部によって主走査させつつ、前記用紙検出器にて被記録材の有無を認識し、この被記録材の有無に応じて前記ヘッド駆動部の駆動を制御して、はみ出し印刷領域が最小となる印刷を実行することができるように構成されていることを特徴とする、記録装置。
【請求項６】
請求項１から請求項４のいずれか一項において、前記駆動制御部は、縁無し印刷を行う際に、前記キャリッジを前記主走査駆動部によって主走査させつつ、前記用紙検出器にて被記録材の両側端部を検出してその位置についてのデータを採取し、該データに基づいて次回以降の主走査時に、前記ヘッド駆動部の駆動を制御して、はみ出し印刷領域が最小となるように印刷を実行することができるように構成されていることを特徴とする、記録装置。
【請求項７】
請求項１から請求項６のいずれか一項に記載されている、キャリッジ。
【手続補正２】
【補正対象書類名】明細書
【補正対象項目名】０００８
【補正方法】変更
【補正の内容】
【０００８】
【課題を解決するための手段】
上記課題を解決するため、請求項１に記載の記録装置の発明は、被記録材が給送される副走査方向に複数のドット形成要素が配列されたドット形成素子列を有する記録ヘッド部と、該記録ヘッド部近傍に被記録材の有無を認識可能な用紙検出器を備え、主走査方向に往復移動することにより、該記録ヘッド部及び該用紙検出器が被記録材の外側に位置する第１待機位置及び第２待機位置まで移動可能なキャリッジと、前記キャリッジの主走査を行う主走査駆動部と、前記ドット形成要素を駆動するヘッド駆動部と、被記録材の副走査を行う副走査駆動部と、これらの駆動を制御する駆動制御部とを備えた記録装置であって、前記用紙検出器は、前記ドット形成素子列内の上流側の領域に配設され、前記用紙検出器は、前記第１待機位置に位置する際において、該記録ヘッド部の位置より被記録材側に配設されるように構成されていることを特徴とする。
【手続補正３】
【補正対象書類名】明細書
【補正対象項目名】００１２
【補正方法】変更
【補正の内容】
【００１２】
また、請求項２に記載の記録装置の発明は、被記録材が給送される副走査方向に複数のドット形成要素が配列されたドット形成素子列を有する記録ヘッド部と、該記録ヘッド部近傍に被記録材の有無を認識可能な用紙検出器を備え、主走査方向に往復移動することにより、該記録ヘッド部及び該用紙検出器が用紙外側に位置する第１待機位置及び第２待機位置まで移動可能なキャリッジと、前記キャリッジの主走査を行う主走査駆動部と、前記ドット形成要素を駆動するヘッド駆動部と、被記録材の副走査を行う副走査駆動部と、これらの駆動を制御する駆動制御部とを備えた記録装置であって、前記用紙検出器は、前記ドット形成素子列より上流側の領域に配設され、前記用紙検出器は、前記第１待機位置に位置する際において、該記録ヘッド部の位置より被記録材側に配設されるように構成されていることを特徴とする。
【手続補正４】
【補正対象書類名】明細書
【補正対象項目名】００１４
【補正方法】変更
【補正の内容】
【００１４】
また、本願請求項３に記載の記録装置の発明は、請求項１において、前記用紙検出器は、副走査方向に配列された発光部と受光部を有し、該発光部から被記録材に向けて発光し、その反射を該受光部で受けることにより、該発光部と該受光部との中間位置での被記録材の有無を認識する機構であることを特徴とする。
【手続補正５】
【補正対象書類名】明細書
【補正対象項目名】００１５
【補正方法】変更
【補正の内容】
【００１５】
この請求項１、２または３の特徴によれば、記録ヘッド部及び用紙検出器が被記録材の外側に位置する第１待機位置において、用紙検出器は、記録ヘッド部の位置より該被記録材側に配設されているため、例えば、被記録材に縁無し印刷を開始する際には、被記録材の無い領域（被記録材の外側である第１待機位置）から主走査を開始し、被記録材の側端部上を、まず該用紙検出器が通過することによって一方の側端部の位置を正確に認識し、これにより印刷開始位置、すなわち印刷領域の一端を正確に認識することが可能である。そして、該印刷開始位置から印刷を開始することが可能である。すなわち、印刷開始位置側におけるはみ出し印刷領域を最小限に留めることが可能である。
【手続補正６】
【補正対象書類名】明細書
【補正対象項目名】００１７
【補正方法】変更
【補正の内容】
【００１７】
また、本願請求項４に記載の記録装置の発明は、請求項２において、前記用紙検出器は、副走査方向に配列された発光部と受光部を有し、該発光部から被記録材に向けて発光し、その反射を該受光部で受けることにより、該発光部と該受光部との中間位置での被記録材の有無を認識する機構であることを特徴とする。この特徴によれば、簡単な機構で低コストな用紙検出器を用いて被記録材の有無を認識することができる。